【手続補正書】
【提出日】令和1年9月12日(2019.9.12)
【手続補正１】
【補正対象書類名】明細書
【補正対象項目名】０２５４
【補正方法】変更
【補正の内容】
【０２５４】
多くの更なる変更及び変形は、例としてのみ付与されていると共に、添付の請求項によってのみ判定される本発明の範囲の限定を意図したものではない、上述の例示用の実施形態を参照した際、それ自体が当業者に対して示唆されることになろう。具体的には、異なる実施形態からの異なる特徴が、適宜、相互交換可能でありうる。
〔付記１〕
生成光線と呼称される、光線の集合体をソートするコンピュータ実装された方法であって、前記集合体のそれぞれの生成光線は、光学取得システムの物体空間内において、前記光学取得システムの瞳孔を通過する光線の組によって占有された容積の表面と、前記光学取得システムのセンサの少なくとも１つのピクセルの共役と、を前記容積の回転軸を中心として回転することによって生成し、前記光線の組によって占有された前記容積は、ピクセルビームと呼称され、前記方法は、
−  少なくとも１つのピクセルビームについて、基準直線と交差する前記ピクセルビームの前記表面を生成する生成光線を選択することと、
−  前記選択された生成光線を含むソートされた生成光線の集合体を生成することと、
を有する方法。
〔付記２〕
生成光線によって生成された前記ピクセルビームの前記表面は、一葉双曲面である付記１に記載の方法。
〔付記３〕
前記基準直線は、前記光学取得システムのメインレンズの光軸に対して平行である付記１に記載の方法。
〔付記４〕
前記基準直線は、前記光学取得システムのレンズアレイの中心軸に対して平行である付記１に記載の方法。
〔付記５〕
前記生成光線の選択は、
−  前記生成光線の集合体に属する前記ピクセルビームの別の生成光線を定義するベクトルに回転行列を乗算することにより、前記選択された生成光線を定義するベクトルの座標を演算することと、
−  前記選択された生成光線と前記基準直線が互いに交差していることから、前記選択された生成光線と前記基準直線の間の距離がゼロに等しい状態において、前記選択された生成光線及び前記基準直線を定義するポイント及びベクトルに基づいて前記回転行列の回転角度の値を演算することと、
を有する付記１から４のいずれか１項に記載の方法。
〔付記６〕
光学取得システムの瞳孔を通過した光線の組によって占有された、前記光学取得システムの物体空間内の、容積と、前記光学取得システムのセンサの少なくとも１つのピクセルの共役と、を表すデータを生成する方法であって、前記光線の組によって占有された前記容積は、ピクセルビームと呼称され、前記方法は、
−  生成光線と呼称される、光線の第１の集合体及び光線の第２の集合体を取得することであって、前記生成光線の集合体のそれぞれの生成光線は、前記ピクセルビームの回転軸を中心として回転することにより、ピクセルビームの表面を生成し、前記ピクセルビームの前記回転軸は、前記光線の第１の集合体に属する光線である、ことと、
−  複数の所与の基準プレーンとの間における、生成光線及び所与のピクセルビームの前記回転軸の交差点を定義する交差点データを演算することであって、前記基準プレーンは、互いに平行であり、且つ、前記物体空間内の異なる深さに対応している、ことと、
−前記ピクセルビームを表すデータを提供するべく、２Ｄ光線内の前記交差点データのグラフィカルな表現を定義する光線図パラメータを取得することと、
を含む、方法。
〔付記７〕
前記生成光線及び前記回転軸に対応する前記交差点データは、データラインとして前記光線図においてグラフィカルに表され、且つ、前記光線図パラメータは、
−  データラインの勾配と、
−  前記光線図の軸との間におけるデータラインの交差点と、
のうちの少なくとも１つを表すデータを含む付記６に記載の方法。
〔付記８〕
前記ピクセルビームを表す前記データは、前記対応する第２生成光線及び回転軸の色を表す色データを更に含む付記７に記載の方法。
〔付記９〕
前記取得された生成光線の集合体は、付記１乃至５のいずれか１項に記載の方法に従って取得されている付記６に記載の方法。
〔付記１０〕
生成光線と呼称される、光線の集合体をソートする装置であって、前記集合体のそれぞれの生成光線は、光学取得システムの物体空間内において、前記光学取得システムの瞳孔を通過した光線の組によって占有された容積の表面と、前記光学取得システムのセンサの少なくとも１つのピクセルの共役と、を前記容積の回転軸を中心として回転することによって生成し、前記光線の組によって占有された前記容積は、ピクセルビームと呼称され、前記装置は、
−  少なくとも１つのピクセルビームについて、基準直線と交差する前記ピクセルビームの前記表面を生成する生成光線を選択し、
−  前記選択された生成光線を含むソートされた生成光線の集合体を生成する、
ように構成されたプロセッサを含む、装置。
〔付記１１〕
前記プロセッサは、
−  前記生成光線の集合体に属する前記ピクセルビームの別の生成光線を定義するベクトルに回転行列を乗算することにより、前記選択された生成光線を定義するベクトルの座標を演算することと、
−  前記選択された生成光線と前記基準直線が互いに交差していることから、前記選択された生成光線と前記基準直線の間の距離がゼロに等しい状態において、前記選択された生成光線及び前記基準直線を定義するポイント及びベクトルに基づいて前記回転行列の回転角度の値を演算することと、
により、前記生成光線を選択するように構成されている付記１０に記載の装置。
〔付記１２〕
光学取得システムの瞳孔を通過する光線の組によって占有された、前記光学取得システムの物体空間内の、容積と、前記光学取得システムのセンサの少なくとも１つのピクセルの共役と、を表すデータを生成する装置であって、前記光線の組によって占有された前記容積は、ピクセルビームと呼称され、前記装置は、
−生成光線と呼称される、光線の第１の集合体及び光線の第２の集合体を取得し、前記生成光線の集合体のそれぞれの生成光線は、前記ピクセルビームの回転軸を中心として回転することにより、ピクセルビームの表面を生成し、前記ピクセルビームの前記回転軸は、前記光線の第１の集合体に属する光線であり、
−複数の所与の基準プレーンとの間における、生成光線及び所与のピクセルビームの前記回転軸の交差点を定義する交差点データを演算し、前記基準プレーンは、互いに平行であり、且つ、前記物体空間内の異なる深さに対応しており、
−前記ピクセルビームを表すデータを提供するべく、２Ｄ光線図内の前記交差点データのグラフィカルな表現を定義する光線図パラメータを取得する、
ように構成されたプロセッサを含む、装置。
〔付記１３〕
前記取得された生成光線の集合体は、付記１乃至５のいずれか１項に記載の方法に従って取得されている付記１２に記載の装置。
〔付記１４〕
ライトフィールド撮像装置であって、
−  規則的な格子構造において配置されたマイクロレンズのアレイと、
−  前記マイクロレンズのアレイから前記フォトセンサ上において投影された光をキャプチャするように構成されたフォトセンサであって、前記フォトセンサは、ピクセルの組を含み、ピクセルのそれぞれの組は、前記マイクロレンズのアレイの個々のマイクロレンズと光学的に関連付けられている、フォトセンサと、
−付記８に従ってメタデータを提供する装置と、
を含む装置。
〔付記１５〕
付記６から９のいずれか１項に記載の前記方法に従って得られる、ライトフィールドデータから画像をレンダリングする装置。
〔付記１６〕
光学取得システムの瞳孔を通過する光線の組によって占有された、前記光学取得システムの物体空間内の、容積と、前記光学取得システムのセンサの少なくとも１つのピクセルの共役と、を表すデータを含むデジタルファイルであって、前記光線の組によって占有された前記容積は、ピクセルビームと呼称され、前記データは、
−生成光線と呼称される第１光線と、第２光線と、の交差点データの２Ｄ光線図内におけるグラフィカルな表現を定義する光線図パラメータであって、前記生成光線は、その他の光線を中心として回転することによってピクセルビームの表面を生成し、前記その他の光線は、前記ピクセルビームの回転軸であり、前記交差点データは、複数の所与の基準プレーンとの間における、前記生成光線及び前記ピクセルビームの前記回転軸の交差点を定義しており、前記基準プレーンは、互いに平行であり、且つ、前記物体空間内の異なる深さに対応している、光線図パラメータと、
−前記生成光線及び前記ピクセルビームの前記回転軸の色を定義する色データと、
を含む、デジタルファイル。
〔付記１７〕
付記６乃至９のいずれか１項に記載の前記方法によって得られた付記１６に記載のデジタルファイル。
〔付記１８〕
プログラム可能な装置用のコンピュータプログラムプロダクトであって、前記プログラム可能な装置内に読み込まれ、且つ、前記プログラム可能な装置によって実行された際に、付記１から５のいずれか１項に記載の方法を実装する命令のシーケンスを有するコンピュータプログラムプロダクト。
〔付記１９〕
プログラム可能な装置用のコンピュータプログラムプロダクトであって、前記プログラム可能な装置に読み込まれ、且つ、これによって実行された際に、付記６から９のいずれか１項に記載の方法を実装するための命令のシーケンスを含むコンピュータプログラムプロダクト。